(57)【要約】【課題】曲線的な動きを可能とする移動部材を備える印刷物を提供する。【解決手段】複数の項２を含む印刷物１において、複数の項２のうち少なくとも１つの項２は、ベース層３と、ベース層３の上に積層される中間層４と、中間層４の上に積層される表層５と、ベース層と３表層５との間に配置され、中間層４に設けられた移動経路７に沿って摺動可能な移動部材６と、を備える。ここで、移動部材６は中間層４に設けられた移動経路７の幅よりも短い幅を持つ定幅図形であり、表層５は、移動経路７を覆うように設けられ、移動部材６の幅よりも短い幅を持つ開口領域を備える。【選択図】図１
2020142414.tif 000002
【特許請求の範囲】
【請求項１】
複数の項を含む印刷物であって、
前記複数の項のうち少なくとも１つの項は、
ベース層と、
前記ベース層の上に積層される中間層と、
前記中間層の上に積層される表層と、
前記ベース層と前記表層との間に配置され、前記中間層に設けられた移動経路に沿って摺動可能な移動部材と、
を備え、
前記移動部材は、前記移動経路の幅よりも短い幅を持つ定幅図形であり、
前記表層は、前記移動経路を覆うように設けられ、前記移動部材の幅よりも短い幅を持つ開口領域を備える、
印刷物。
【請求項２】
前記移動部材の厚みは、前記中間層の厚みよりも薄い、
請求項１に記載の印刷物。
【請求項３】
前記表層は、前記中間層の上に積層されたときに、前記移動部材の一部が外部に露出するように前記開口領域が設けられている、
請求項１又は２に記載の印刷物。
【請求項４】
前記移動部材の形状は円形である、
請求項１から３のいずれか１項に記載の印刷物。
【請求項５】
前記移動経路は、前記中間層を構成する部材の一部を切り抜いて構成されており、
前記中間層は、前記移動経路を除く領域が連続する一つの領域である、
請求項１から４のいずれか１項に記載の印刷物。
【発明の詳細な説明】
【技術分野】
【０００１】
本発明は印刷物に関し、特に、読者が自由に動かせる部材を備える仕掛け絵本に関する。
【背景技術】
【０００２】
絵本を構成する項に仕掛けを設け、読者が仕掛け部分を項から引き出したり動かしたりする技術が提案されている。例えば、特許文献１には、絵本の項が前面板と背面板とよりなる収納体となっており、読者が収納体に収納されたスライド板を引き出せるように構成されている絵本が開示されている。
【先行技術文献】
【特許文献】
【０００３】
【特許文献１】特開２００３−３２３１１９号公報
【発明の概要】
【発明が解決しようとする課題】
【０００４】
上記の技術では、絵本を構成する部材であるスライド板が移動部材となっており、読者はこのスライド板を収納体から引き出したり戻したりすることができる。このように、従来の仕掛け絵本等の印刷物における移動体は往復運動のみが可能である。この他、絵本の項に設定された回転軸を中心に移動体が回転運動する技術も提案されている。このように、従来の技術では、移動体の動きは直線的な動きや回転運動にとどまるものであった。
【０００５】
本願の発明者は、仕掛け絵本等の印刷物に設けた移動部材が、回転運動や直線的な動きのみならず、曲線的な動きを可能とすることができれば、使用者に新しい体験を提供できる可能性について認識するに至った。
【０００６】
本発明はこれらの点に鑑みてなされたものであり、曲線的な動きを可能とする移動部材を備える印刷物を提供することを目的とする。
【課題を解決するための手段】
【０００７】
本発明のある態様は、複数の項を含む印刷物である。この印刷物において、前記複数の項のうち少なくとも１つの項は、ベース層と、前記ベース層の上に積層される中間層と、前記中間層の上に積層される表層と、前記ベース層と前記表層との間に配置され、前記中間層に設けられた移動経路に沿って摺動可能な移動部材と、を備える。ここで、前記移動部材は、前記移動経路の幅よりも短い幅を持つ定幅図形であり、前記表層は、前記移動経路を覆うように設けられ、前記移動部材の幅よりも短い幅を持つ開口領域を備える。
【０００８】
前記移動部材の厚みは、前記中間層の厚みよりも薄くてもよい。
【０００９】
前記表層は、前記中間層の上に積層されたときに、前記移動部材の一部が外部に露出するように前記開口領域が設けられていてもよい。
【００１０】
前記移動部材の形状は円形であってもよい。
【００１１】
前記移動経路は、前記中間層を構成する部材の一部を切り抜いて構成されてもよく、前記中間層は、前記移動経路を除く領域が連続する一つの領域であってもよい。
【発明の効果】
【００１２】
本発明によれば、曲線的な動きを可能とする移動部材を備える印刷物を提供することができる。
【図面の簡単な説明】
【００１３】
【図１】実施の形態に係る印刷物の外観の一例を示す斜視図である。
【図２】実施の形態に係る印刷物に設けられた仕掛けを説明するための図である。
【図３】実施の形態に係る印刷物に設けられた仕掛けの断面図の一部を示す図である。
【図４】定幅図形の一例を示す図である。
【図５】実施の形態に係る中間層に設けられる移動経路の形状を説明するための図である。
【図６】第２の変形例に係る印刷物に設けられた仕掛けを説明するための図である。
【発明を実施するための形態】
【００１４】
＜実施の形態に係る印刷物の外観＞
図１は、実施の形態に係る印刷物１の外観の一例を示す斜視図である。具体的には、図１に示す印刷物１は、複数の項２を含む絵本である。図１において、印刷物１は見開きの２項が示されており、左側の項２には文字が印刷されている。一方、見開きの２項のうち右側の項２には仕掛けが設けられている。
【００１５】
図１に示すように、見開きの２項のうち右側の項２は、ベース層３と、ベース層３の上に積層される中間層４と、中間層４の上に積層される表層５との３層で構成されている。また、見開きの２項のうち右側の項２には、ベース層３と表層５との間に挟まれる形で移動部材６が収容されている。移動部材６は、中間層４に設けられた移動経路７に沿って摺動可能である。なお、ベース層３と中間層４とは互いに接着されている。また、中間層４と表層５とも互いに接着されている。
【００１６】
＜実施の形態に係る印刷物の仕掛け＞
図２は、実施の形態に係る印刷物１に設けられた仕掛けを説明するための図である。具体的には、図２は、仕掛けが設けられた項２の上面図及び断面図である。図２における断面図は仕掛けを切断線Ｃで切断した場合の断面図であり、記号Ａの方向から見たＡ−Ａ断面図である。
【００１７】
図２において馬蹄形の破線で示す領域は、中間層４に設けられた移動経路７である。移動経路７は、中間層４を構成する部材の一部を切り抜いて構成されている。また、図２において馬蹄形の実線で示す領域は、表層５に設けられた開口領域である。図２に示すように、表層５には、中間層４の上に積層されたときに移動経路７を覆うように開口領域が設けられている。この開口領域は、移動部材６の一部が外部に露出するように設けられている。移動経路７に存在する移動部材６は、表層５に設けられた開口領域を介して外部に露出している。このため、印刷物１の読者は、表層５に設けられた開口領域から移動部材６に触れることができる。
【００１８】
ここで、中間層４に設けられた移動経路７は、一定の幅を持つ線状の閉領域である。移動経路７は閉領域であるため、移動経路７を構成する閉領域の境界線上に存在する任意の点における境界線の垂線は、必ず境界線上の２又はそれ以上の点において交点を持つ。ここで、移動経路７を構成する閉領域の境界線上に存在する任意の点である点Ｐにおける垂線Ｈと境界線との交点のうち、点Ｐとの距離が最小の点を点Ｑとする。このとき、線状の閉領域が「一定の幅を持つ」とは、線の端部を除く境界線上に存在する点Ｐについて、点Ｐと点Ｑとの距離が一定であることを意味する。
【００１９】
移動部材６は、ベース層３と表層５との間において、中間層４に設けられた移動経路７内に配置される。ここで、図２に示すように、移動部材６は中間層４に設けられた移動経路７の幅Ｌよりも短い幅を持つ定幅図形となっている。これにより、移動部材６は、移動経路７に沿って摺動可能となる。なお、定幅図形の具体例は後述するが、定幅図形とは、転がしたときに最高点の高さが一定となる図形の総称である。
【００２０】
上述したように、移動経路７に存在する移動部材６は、表層５に設けられた開口領域を介して外部に露出している。ここで、表層５に設けられた開口領域の幅は、移動部材６の幅よりも短い。移動部材６は定幅図形であるため、移動部材６の少なくとも一部は表層５とベース層３とで常に挟まれることになる。これにより、実施の形態に係る印刷物１は、移動部材６が印刷物１から外れて分離することを抑制できる。また、移動経路７は、一定の幅を持つ線状の閉領域であることを条件とすれば、その形状は曲線であってもよい。これにより、印刷物１は、曲線的な動きを可能とする移動部材６を備えることができる。なお、表層５に設けられた開口領域の幅は、移動部材６の幅よりも短いことを条件とすれば一定でなくてもよく、狭くなったり広くなったりしてもよい。
【００２１】
図３は、実施の形態に係る印刷物１に設けられた仕掛けの断面図の一部を示す図であり、図２において破線の円Ｅで示される領域の拡大図である。図３に示すように、移動部材６の厚みは、中間層４の厚みよりも薄くなっている。これにより、移動部材６と表層５との間に隙間ができるので移動部材６と表層５との間の摩擦が小さくなる。また、上述したように、移動部材６は移動経路７の幅よりも短い幅を持つ定幅図形である。このため、移動部材６と中間層４との間にも隙間ができるので、移動部材６と中間層４との間の摩擦も小さくなる。結果として、移動部材６は、移動経路７をなめらかに摺動することができる。
【００２２】
＜定幅図形の例＞
図４（ａ）−（ｃ）は、定幅図形の一例を示す図である。具体的には、図４（ａ）は定幅図形の一種である円を示す図である。また、図４（ｂ）は、定幅図形の一種であるルーローの三角形を示す図である。図４（ｃ）は、定幅図形の一種であるルーローの五角形を示す図である。図４（ａ）−（ｃ）に示すように、定幅図形は、差渡しの幅Ｗが常に一定となる。このため、移動部材６が定幅図形である場合、一定の幅を持つ線状の閉領域である移動経路７を自在に摺動することができる。
【００２３】
さらに、移動部材６が定幅図形である場合、表層５に設けられた開口領域の幅が移動部材６の幅よりも短ければ、移動部材６が任意の角度で回転しても、移動部材６の少なくとも一部はベース層３と表層５とによって常に挟まれることになる。これにより、印刷物１は、移動部材６が印刷物１から分離して脱落することを抑制できる。
【００２４】
図４に図示していないが、ルーローの三角形及びルーローの五角形以外の他のルーローの多角形も定幅図形であるため、移動部材６の形状として採用することができる。ここで、ルーローの多角形は、回転移動をするときにその重心の高さ（移動部材６の重心と移動経路７を構成する閉領域の境界線との最短距離）が変動する。このため、移動部材６の形状としてルーローの多角形を採用した場合、印刷物１の読者が移動経路７に沿って移動部材６を回転移動させると、移動に伴って移動部材６の重心の高さが変動することになる。
【００２５】
一方、定幅図形の一種である円は、回転移動してもその重心の高さが一定である。したがって、移動部材６の形状として円形を採用した場合、印刷物１の読者が移動経路７に沿って移動部材６を回転移動させても、移動に伴って移動部材６の重心の高さは変化しない。したがって、移動部材６の形状として円形を採用した場合は、ルーローの多角形を採用した場合と比較すると、印刷物１の読者は移動部材６をよりなめらかに摺動させることができる。以上より、移動部材６の形状は円形であることが好ましい。
【００２６】
＜移動経路７の形状＞
続いて、実施の形態に係る中間層４に設けられる移動経路７の形状について説明する。
【００２７】
図５は、実施の形態に係る中間層４に設けられる移動経路７の形状を説明するための図であり、印刷物１の見開きの２項の一例を示す図である。図５において見開きの２項のうち左側の項２には文字が印刷されており、右側の項２には文字（数字の６）を模した移動経路７が形成されている。
【００２８】
一般に、数字の「６」の形状は、環状の形状を含んでいる。一方、実施の形態に係る印刷物１において移動経路７は、環状の経路を含まないように構成されている。言い換えると、実施の形態に係る印刷物１に係る移動経路７は、必ず始点と終点を持つ。例えば、図５に示すように、移動経路７が数字の６の形状を模した形状であっても、移動経路７の端部が移動経路７の別の領域に交わることはなく、移動経路７は環状の経路を含まない。
【００２９】
上述したように、移動経路７は、中間層４を構成する部材の一部を切り抜いて構成される。したがって、移動経路７が環状の経路を含まないことは、移動経路７を除く中間層４の領域が連続する一つの領域となることを意味する。図５において、斜線で示す領域が移動経路７を除く中間層４の領域である。図５に示すように、斜線で示す領域は、連続する一つの領域となっている。
【００３０】
反対に、移動経路７が環状の経路を含む場合、中間層４は２以上の部材に分割されることになる。中間層４が２以上の部材に分割されると、印刷物１の製造過程においてベース層３の上に中間層４を積層する際に、精密な位置合わせが要求されることになる。中間層４を構成する複数の部材の位置合わせの精度は、移動経路７の幅の精度に直結するからである。万が一、移動経路７の幅の誤差が大きくなると、移動部材６が移動経路７を摺動することが困難となったり、移動部材６が移動経路７から分離して脱落したりしかねない。このため、移動経路７が環状の経路を含むと、印刷物１の製造の際に要求される精度が上がり、移動経路７が環状の経路を含まない場合と比較すると印刷物１の製造コストが増加する。
【００３１】
したがって、実施の形態に係る印刷物１では、中間層４は、移動経路７を除く領域が連続する一つの領域となることが好ましい。このように、移動経路７を除く中間層４の領域を連続する一つの領域とすることにより、印刷物１は、印刷物１の製造コストを抑制することができる。
【００３２】
なお、図５に示すように、移動経路７の形状を数字や文字を模した形状としたり、円形、三角形、又は四角形等の図形の形状を模したりすることにより、印刷物１を知育用の教材として活用することができる。
【００３３】
＜実施の形態に係る印刷物１の効果＞
以上説明したように、実施の形態に係る印刷物１によれば、曲線的な動きを可能とする移動部材を備えることができる。これにより、実施の形態に係る印刷物１は、例えば知育用の教材として活用できる等、使用者に新しい体験を提供することができる。
【００３４】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【００３５】
＜第１の変形例＞
上記では、印刷物１が絵本である場合について主に説明した。しかしながら、印刷物１は必ずしも本である場合に限られない。例えば、見開き２項のみを備える折りたたみ式のカード状の印刷物であってもよい。
【００３６】
＜第２の変形例＞
上記では、印刷物１のうち仕掛けが設けられた各項２が移動経路７を１つだけ備える場について説明した。しかしながら、仕掛けが設けられた各項２に設ける移動経路７の数は１に限られず、移動経路７を除く中間層４の領域が連続する一つの領域となることを条件として、２以上であってもよい。
【００３７】
図６は、第２の変形例に係る印刷物１に設けられた仕掛けを説明するための図である。図６は、カタカナの「シ」を模した形状の移動経路７が設けられた印刷物１を図示している。周知のように、カタカナの「シ」は３つのパーツから構成されている文字であるため、図６にも、３つの移動経路７（７ａ、７ｂ、及び７ｃ）が示されている。
【００３８】
また、図６に示す各移動経路７には、それぞれ移動部材６が収容されている。例えば、移動経路７ａには移動部材６ａが収容されており、移動経路７ｂには移動部材６ｂが収容されている。
【００３９】
ここで、各移動経路７が収容する移動部材６の数は１に限られず、２以上であってもよい。例えば図６に示す移動経路７ｃには、移動部材６ｃと移動部材６ｄとの２つの移動部材６が収容されている。このように、仕掛けが設けられた各項２に設ける移動経路７の数や各移動経路７に収容する移動部材６の数を増やすことにより、第２の変形例に係る印刷物１は、使用者にさらに新しい体験を提供することができる。
【符号の説明】
【００４０】
１・・・印刷物
２・・・項
３・・・ベース層
４・・・中間層
５・・・表層
６・・・移動部材
７・・・移動経路
【図１】
2020142414.tif 000003
【図２】
2020142414.tif 000004
【図３】
2020142414.tif 000005
【図４】
2020142414.tif 000006
【図５】
2020142414.tif 000007
【図６】
2020142414.tif 000008